(57)【要約】【課題】  接続された端末装置同士の間の電力線に多数の電気製品が接続される等によって伝送路としての電力線の特性が劣化し、又は不安定になっても一方の端末装置から出力された通信信号を他方の端末装置に伝送できる電力線通信信号重畳装置及びそれを用いた電力線通信ネットワークを提供する。【解決手段】  第１の磁気コア６２に第１のＡＣコード６３ｂの一方を挿通又は巻き回すると共に、第２の磁気コア６６に第２のＡＣコード６７ｂの一方を挿通又は巻き回し、第１のＡＣコード６３ｂの終端同士及び第２のＡＣコード６７ｂの終端同士を、商用電源の周波数ではインピーダンスが高く、それよりも高い周波数ではインピーダンスが低くなるインピーダンス素子６４、６８で接続し、第１の導体線６１と第２の導体線６５とを互いに接続してループを形成した。【選択図】        図１
2005260910.tif 000002
【特許請求の範囲】
【請求項１】
第１の導体線が巻回された環状の第１の磁気コアと、第２の導体線が巻回された環状の第２の磁気コアと、第１のＡＣプラグと前記第１のＡＣプラグに接続された第１の一対のＡＣコードとを有する第１のＡＣプラグコードと、第２のＡＣプラグと前記第２のＡＣプラグに接続された第２の一対のＡＣコードとを有する第２のＡＣプラグコードとを備え、前記第１の磁気コアに前記第１のＡＣコードの一方を挿通又は巻き回すると共に、前記第２の磁気コアに前記第２のＡＣコードの一方を挿通又は巻き回し、前記第１のＡＣコードの終端同士及び前記第１のＡＣコードの終端同士をインピーダンス素子で接続し、前記第１の導体線と前記第２の導体線とを互いに接続してループを形成したことを特徴とする電力線通信信号重畳装置。
【請求項２】
第３の導体線が巻回された環状の第３の磁気コアと、第４の導体線が巻回された環状の第４の磁気コアとを備え、前記第３の磁気コアに前記第１のＡＣコードの他方を挿通又は巻き回すると共に、前記第４の磁気コアに前記第２のＡＣコードの他方を挿通又は巻き回し、前記第１の導体線と前記第３の導体線とを並列又は直列に接続し、前記第２の導体線と前記第４の導体線とを並列又は直列に接続したことを特徴とする請求項１に記載の電力線通信信号重畳装置。
【請求項３】
前記インピーダンス素子を、商用電源の周波数ではインピーダンスが高く、それよりも高い周波数ではインピーダンスが低くなるインピーダンス素子としたことを特徴とする請求項１又は２に記載の電力線通信信号重畳装置。
【請求項４】
前記インピーダンス素子をインダクタンス素子と容量素子との直列回路で構成し、前記直列回路の共振周波数を２乃至３０ＭＨｚの間に定めたことを特徴とする請求項３に記載の電力線通信信号重畳装置。
【請求項５】
前記第２の一対のＡＣコードを第１のチョークインダクタを介して前記第２のＡＣプラグに接続し、前記第２の一対のＡＣコードに第１の増設用ＡＣコンセントを接続したことを特徴とする請求項１乃至４の何れかに記載の電力線通信信号重畳装置。
【請求項６】
前記第１のＡＣコードに第２のチョークインダクタを介して第２の増設用ＡＣコンセントを接続したことを特徴とする請求項５に記載の電力線通信信号重畳装置。
【請求項７】
複数の差し込み口を有して家庭内の互いに離れた２カ所の位置に設けられた屋内ＡＣコンセントと、請求項１乃至４の何れかに記載の電力線通信信号重畳装置とを備え、前記第１のＡＣプラグを前記一方の屋内ＡＣコンセントに接続し、前記第２のＡＣプラグを前記他方の屋内ＡＣコンセントに接続し、一方の前記屋内ＡＣコンセントに、電力線通信を行うための第１の端末装置を接続し、他方の屋内ＡＣコンセントに、電力線通信を行うための第２の端末装置を接続したことを特徴とする電力線通信ネットワーク。
【請求項８】
複数の差し込み口を有して家庭内の互いに離れた２カ所の位置に設けられた屋内ＡＣコンセントと、請求項５に記載の電力線通信信号重畳装置とを備え、前記第１のＡＣプラグを前記一方の屋内ＡＣコンセントに接続し、前記第２のＡＣプラグを前記他方の屋内ＡＣコンセントに接続し、前記一方の屋内ＡＣコンセントに、電力線通信を行うための第１の端末装置を接続し、前記第１の増設用ＡＣコンセントに、電力線通信を行うための第２の端末装置を接続したことを特徴とする電力線通信ネットワーク。
【請求項９】
複数の差し込み口を有して家庭内の互いに離れた２カ所の位置に設けられた屋内ＡＣコンセントと、請求項６に記載の電力線通信信号重畳装置とを備え、前記第１のＡＣプラグを前記一方の屋内ＡＣコンセントに接続し、前記第２のＡＣプラグを前記他方の屋内ＡＣコンセントに接続し、前記一方の屋内ＡＣコンセントに、電力線通信を行うための第１の端末装置を接続し、前記第１の増設用ＡＣコンセントに、電力線通信を行うための第２の端末装置を接続したことを特徴とする電力線通信ネットワーク。
【発明の詳細な説明】
【技術分野】
【０００１】
本発明は、電力線通信信号重畳装置及びそれを用いた電力線通信ネットワークに関する。
【背景技術】
【０００２】
３相３線式電力線を用いた従来の電力線通信ネットワークを図４に従って説明する。Ｒ相の電力線１０とＳ相の電力線２０との間に端末Ａが接続され、Ｓ相の電力線２０とＴ相の電力線３０との間に端末Ｂが接続され、Ｔ相の電力線３０とＲ相の電力線１０との間に端末Ｃが接続される。
【０００３】
また、Ｒ相の電力線１０とＳ相の電力線２０とＴ相の電力線３０との間には結合回路１００が接続される。結合回路１００は、低周波成分を遮断する第一のコンデンサＣ１と第二のコンデンサＣ２とトランスＴから構成され、トランスＴは一次コイルＬ１、二次コイルＬ２を有する。
【０００４】
すなわち、Ｒ相の電力線１０とＳ相の電力線２０との間は、第一のコンデンサＣ１とトランスＴの一次コイルＬ１とからなる直列回路を介して接続され、Ｓ相の電力線２０とＴ相の電力線３０との間は、トランスＴの二次コイルＬ２と第二のコンデンサＣ２とからなる直列回路を介して接続される。また、Ｔ相の電力線３０とＲ相の電力線１０との間は、第二のコンデンサＣ２、トランスＴ、第一のコンデンサＣ１を介して接続される。
【０００５】
これによって、Ｒ相の電力線１０とＳ相の電力線２０との間に接続される端末Ａ、Ｓ相の電力線２０とＴ相の電力線３０との間に接続される端末Ｂ、Ｔ相の電力線３０とＲ相の電力線１０との間に接続される端末Ｃとの間における電力線通信が可能となる（例えば、特許文献１参照。）。
【０００６】
【特許文献１】特開平０７−２３５８９７号公報（図１）。
【発明の開示】
【発明が解決しようとする課題】
【０００７】
上記構成では、３相３線式電力線のいずれの２線間との間でも電力線通信が可能となるが、各端末間の電力線に多数の電気製品が接続されて電力線のインピーダンスが不安定になると、端末相互間の伝送に支障を来す。
【０００８】
本発明は、接続された端末装置同士の間の電力線に多数の電気製品が接続される等によって伝送路としての電力線の特性が劣化し、又は不安定になっても一方の端末装置から出力された通信信号を他方の端末装置に伝送できる電力線通信信号重畳装置及びそれを用いた電力線通信ネットワークを提供する。
【課題を解決するための手段】
【０００９】
本発明の電力線通信信号重畳装置は、第１の導体線が巻回された環状の第１の磁気コアと、第２の導体線が巻回された環状の第２の磁気コアと、第１のＡＣプラグと前記第１のＡＣプラグに接続された第１の一対のＡＣコードとを有する第１のＡＣプラグコードと、第２のＡＣプラグと前記第２のＡＣプラグに接続された第２の一対のＡＣコードとを有する第２のＡＣプラグコードとを備え、前記第１の磁気コアに前記第１のＡＣコードの一方を挿通又は巻き回すると共に、前記第２の磁気コアに前記第２のＡＣコードの一方を挿通又は巻き回し、前記第１のＡＣコードの終端同士及び前記第１のＡＣコードの終端同士をインピーダンス素子で接続し、前記第１の導体線と前記第２の導体線とを互いに接続してループを形成した。
【００１０】
また、第３の導体線が巻回された環状の第３の磁気コアと、第４の導体線が巻回された環状の第４の磁気コアとを備え、前記第３の磁気コアに前記第１のＡＣコードの他方を挿通又は巻き回すると共に、前記第４の磁気コアに前記第２のＡＣコードの他方を挿通又は巻き回し、前記第１の導体線と前記第３の導体線とを並列又は直列に接続し、前記第２の導体線と前記第４の導体線とを並列又は直列に接続した。
【００１１】
また、前記インピーダンス素子を、商用電源の周波数ではインピーダンスが高く、それよりも高い周波数ではインピーダンスが低くなるインピーダンス素子とした。
【００１２】
また、前記インピーダンス素子をインダクタンス素子と容量素子との直列回路で構成し、前記直列回路の共振周波数を２乃至３０ＭＨｚの間に定めた。
【００１３】
また、前記第２の一対のＡＣコードを第１のチョークインダクタを介して前記第２のＡＣプラグに接続し、前記第２の一対のＡＣコードに第１の増設用ＡＣコンセントを接続した。
【００１４】
また、前記第１のＡＣコードに第２のチョークインダクタを介して第２の増設用ＡＣコンセントを接続した。
【００１５】
また、本発明の電力線通信ネットワークは、複数の差し込み口を有して家庭内の互いに離れた２カ所の位置に設けられた屋内ＡＣコンセントと、請求項１乃至４の何れかに記載の電力線通信信号重畳装置とを備え、前記第１のＡＣプラグを前記一方の屋内ＡＣコンセントに接続し、前記第２のＡＣプラグを前記他方の屋内ＡＣコンセントに接続し、一方の前記屋内ＡＣコンセントに、電力線通信を行うための第１の端末装置を接続し、他方の屋内コンセントに、電力線通信を行うための第２の端末装置を接続した。
【００１６】
また、  複数の差し込み口を有して家庭内の互いに離れた２カ所の位置に設けられた屋内ＡＣコンセントと、請求項５に記載の電力線通信信号重畳装置とを備え、前記第１のＡＣプラグを前記一方の屋内ＡＣコンセントに接続し、前記第２のＡＣプラグを前記他方の屋内ＡＣコンセントに接続し、前記一方の屋内ＡＣコンセントに、電力線通信を行うための第１の端末装置を接続し、前記第１の増設用ＡＣコンセントに、電力線通信を行うための第２の端末装置を接続した。
【００１７】
また、複数の差し込み口を有して家庭内の互いに離れた２カ所の位置に設けられた屋内ＡＣコンセントと、請求項６に記載の電力線通信信号重畳装置とを備え、前記第１のＡＣプラグを前記一方の屋内ＡＣコンセントに接続し、前記第２のＡＣプラグを前記他方の屋内ＡＣコンセントに接続し、前記一方の屋内ＡＣコンセントに、電力線通信を行うための第１の端末装置を接続し、前記第１の増設用ＡＣコンセントに、電力線通信を行うための第２の端末装置を接続した。
【発明の効果】
【００１８】
請求項１の電力線通信信号重畳装置によれば、第１の磁気コアに第１のＡＣコードの一方を挿通又は巻き回すると共に、第２の磁気コアに第２のＡＣコードの一方を挿通又は巻き回し、第１のＡＣコードの終端同士及び第１のＡＣコードの終端同士をインピーダンス素子で接続し、第１の導体線と第２の導体線とを互いに接続してループを形成したので、第１のＡＣコードのプラグが接続される電力線から第２のＡＣコードのプラグが接続された電力線に電力線通信信号を効果的に重畳できる。
【００１９】
また、請求項２の電力線通信信号重畳装置によれば、第３の導体線が巻回された環状の第３の磁気コアと、第４の導体線が巻回された環状の第４の磁気コアとを備え、第３の磁気コアに第１のＡＣコードの他方を挿通又は巻き回すると共に、第４の磁気コアに第２のＡＣコードの他方を挿通又は巻き回し、第１の導体線と第３の導体線とを並列又は直列に接続し、第２の導体線と第４の導体線とを並列又は直列に接続したので、ＡＣコード及び電力線は伝送線路として平衡状態となり、不要輻射が押さえられる。
【００２０】
また、請求項３の電力線通信信号重畳装置によれば、インピーダンス素子を、商用電源の周波数ではインピーダンスが高く、それよりも高い周波数ではインピーダンスが低くなるインピーダンス素子としたので、第１及び第２のＡＣコードに流れる信号電流が大きくなって、第１のＡＣコードが接続される電力線から第２のＡＣコードが接続される電力線に電力線通信信号を効果的に重畳でき、しかも、商用電源のロスを少なくできる。
【００２１】
また、請求項４の電力線通信信号重畳装置によれば、インピーダンス素子をインダクタンス素子と容量素子との直列回路で構成し、直列回路の共振周波数を２乃至３０ＭＨｚの間に定めたので、第１及び第２のＡＣコードには最大の信号電流を流すことができ、第１のＡＣコードが接続される電力線から第２のＡＣコードが接続される電力線に電力線通信信号を効果的に重畳でき、しかも、商用電源のロスを少なくできる。
【００２２】
また、請求項５の電力線通信信号重畳装置によれば、第２の一対のＡＣコードを第１のチョークインダクタを介して第２のＡＣプラグに接続し、第２の一対のＡＣコードに第１の増設用ＡＣコンセントを接続したので、第２のＡＣプラグ側への電力線通信信号の出力を阻止して第１の増設用ＡＣコンセントに電力線通信信号を出力できる。
【００２３】
また、請求項６の電力線通信信号重畳装置によれば、第１のＡＣコードに第２のチョークインダクタを介して第２の増設用ＡＣコンセントを接続したので、第２の増設用ＡＣコンセント側への電力線通信信号の出力を阻止できる。
【００２４】
また、請求項７の電力線通信ネットワークによれば、複数の差し込み口を有して家庭内の互いに離れた２カ所の位置に設けられた屋内ＡＣコンセントと、一方の前記屋内ＡＣコンセントに接続され、電力線通信を行うための第１の端末装置と、他方の屋内ＡＣコンセントに接続され、電力線通信を行うための第２の端末装置と、請求項１乃至４の何れかに記載の電力線通信信号重畳装置とを備え、第１のＡＣプラグを一方の屋内ＡＣコンセントに接続し、第２のＡＣプラグを他方の屋内ＡＣコンセントに接続したので、第１の端末装置と第２の端末装置間の電力線が通信信号の伝送路としての特性が劣化していても、電力線通信信号重畳装置を介して、通信品質を劣化させることなく相互通信ができる。
【００２５】
また、請求項８の電力線通信ネットワークによれば、複数の差し込み口を有して家庭内の互いに離れた２カ所の位置に設けられた屋内ＡＣコンセントと、請求項５に記載の電力線通信信号重畳装置とを備え、第１のＡＣプラグを一方の屋内ＡＣコンセントに接続し、第２のＡＣプラグを他方の屋内ＡＣコンセントに接続し、一方の屋内ＡＣコンセントに、電力線通信を行うための第１の端末装置を接続し、第１の増設用ＡＣコンセントに、電力線通信を行うための第２の端末装置を接続したので、第２の端末装置には他方の屋内ＡＣコンセントから第２の増設用ＡＣコンセントを介して電力が供給されるが、この際に、第１のチョークインダクタの存在によって電力線通信信号が他方の屋内ＡＣコンセント側に出力されないので、第２の端末装置への電力線通信信号の減衰が少ない。
【００２６】
また、請求項９の電力線通信ネットワークによれば、複数の差し込み口を有して家庭内の互いに離れた２カ所の位置に設けられた屋内ＡＣコンセントと、請求項６に記載の電力線通信信号重畳装置とを備え、第１のＡＣプラグを一方の屋内ＡＣコンセントに接続し、第２のＡＣプラグを他方の屋内ＡＣコンセントに接続し、一方の屋内ＡＣコンセントに、電力線通信を行うための第１の端末装置を接続し、第１の増設用ＡＣコンセントに、電力線通信を行うための第２の端末装置を接続したので、第２の増設用ＡＣコンセントに他の電気機器を接続しても、第２のチョークインダクタの存在によって電力線通信信号が第２の増設用ＡＣコンセント側に出力されないので、第２の端末装置への電力線通信信号の減衰が少ない。
【発明を実施するための最良の形態】
【００２７】
図１、図２及び図５を参照して本発明の電力線通信信号重畳装置及びそれを用いた電力線通信ネットワークを説明する。図１は第１の実施形態を示し、図２は第２の実施形態を示す。また、図５は第３の実施形態を示す。
【００２８】
図１において、家庭内には互いに離れた２カ所の位置に第１の屋内ＡＣコンセント１と第２の屋内ＡＣコンセント２とが設けられる。第１の屋内ＡＣコンセント１と第２の屋内ＡＣコンセント２とは家庭内に配線された電力線３によって相互に接続されている。第１及び第２の屋内ＡＣコンセント１、２はそれぞれＡＣプラグ差し込み用の複数の差し込み口を有する。
【００２９】
第１の屋内ＡＣコンセント１の一つの差し込み口には電力線通信用の第１の端末装置４のＡＣプラグ４ａが差し込まれる。第１の端末装置４は通信用モデム４ｂを有する。また、第２の屋内ＡＣコンセント２の一つの差し込み口には電力線通信用の第２の端末装置５のＡＣプラグ５ａが差し込まれる。第２の端末装置５は通信用モデム５ｂを有する。そして、１例として第１の端末装置４と第２の端末装置５とは電力線３を伝送線路として相互に通信する。
【００３０】
第１の屋内ＡＣコンセント１の残りの差し込み口と第２の屋内ＡＣコンセント２の残りの差し込み口との間には電力線通信信号重畳装置６が接続される。電力線通信信号重畳装置６は、第１の導体線６１が巻回された環状の第１の磁気コア６２と、第２の導体線６５が巻回された環状の第２の磁気コア６６と、第１のＡＣプラグ６３ａとそれに接続された第１の１対のＡＣコード（第１のＡＣコード）６３ｂとを有する第１のＡＣプラグコード６３と、第２のＡＣプラグ６７ａとそれに接続された第２の１対のＡＣコード（第２のＡＣコード）６７ｂとを有する第２のＡＣプラグコード６７とを有する。第１及び第２の磁気コア６２、６６はフェライトからなる。
【００３１】
そして、第１のＡＣコード６３ｂの一方が第１の磁気コア６２に挿通又は巻き回され、第１のＡＣコード６３ｂの終端同士が第１のインピーダンス素子６４によって接続され、また、第２のＡＣコード６７ｂの一方が第２の磁気コア６６に挿通又は巻き回され、第２のＡＣコード６７ｂの終端同士が第２のインピーダンス素子６８によって接続される。従って、第１のＡＣコード６３ｂと磁気コア６２と第１の導体線６１とによってトランスが構成され、同様に、第２のＡＣコード６７ｂと磁気コア６６と第２の導体線６５とによってトランスが構成される。
【００３２】
第１及び第２のインピーダンス素子６４、６８はそれぞれ周波数特性を有し、商用電源の周波数に対しては高いインピーダンスを呈し、電力線通信信号の周波数（帯域はおよそ２乃至３０ＭＨｚ）では低いインピーダンスを呈するように構成される。その１例として、第１及び第２のインピーダンス素子６４、６８は、図１に示すように容量素子で構成される。
【００３３】
そして、第１のＡＣプラグ６３ａが第１の屋内ＡＣコンセント１に差し込まれ、第２のＡＣプラグ２が第２の屋内ＡＣコンセント２に差し込まれる。
【００３４】
第１の屋内ＡＣコンセント１と第２の屋内ＡＣコンセント２とを接続している電力線３は、本来、第１の端末装置４と第２の端末装置５との相互通信の伝送路として機能しているが、その途中に多数の電気製品が接続される等によって伝送路としてのインピーダンス特性が不適切になった場合、第１の端末装置４と第２の端末装置５とが整合しなくなって通信品質が低下する。しかし、上記の電力線通信信号重畳装置６が第１の屋内ＡＣコンセント１と第２の屋内ＡＣコンセント２との間に接続されていれば、第１の端末装置４から第１の屋内ＡＣコンセント１に出力された通信信号はこの電力線通信信号重畳装置６を介して第２の屋内ＡＣコンセント２に重畳され、そこから第２の端末装置５に入力されるので相互に通信可能となる。
【００３５】
すなわち、例えば、第１の端末装置４から出力された通信信号は第１の屋内ＡＣコンセント１から第１のＡＣコード６３ｂに流れる。第１の磁気コア６２に巻回された第１の導体線６１と第１の磁気コア６２に挿通又は巻き回されたＡＣコード６３ｂとはカレントトランスを構成するので、第１の導体線６１には通信信号に基づく電圧が誘起し、これがよって第２の導体線６５にも電流が流れる。第２の磁気コア６６に巻回された第２の導体線６５と第２の磁気コア６６に挿通又は巻き回された第２のＡＣコード６７ｂもカレントトランスを構成するので、第２の導体線６５に流れる電流によって第２のＡＣコード６７ｂに信号に基づく電圧が誘起し、それが第２の端末装置５に入力される。
【００３６】
第１及び第２のＡＣコード６３ｂ、６７ｂのそれぞれの終端同士を接続しているインピーダンス素子６４、６８は、そのインピーダンスが上記のように周波数特性を有しているので、通信信号が容易に流れやすく、商用電源の電力ロスも少ない。
【００３７】
次に、図２に示す第２の実施形態について説明する。図２において、図１と同じ構成には同一符号を付す。第２の実施形態では、電力線通信信号重畳装置６に環状の第３の磁気コア６９とそれに巻回された第３の導体線７０と、環状の第４の磁気コア７１とそれに巻回された第４の導体線７２が追加される。そして、第１のＡＣコード６３ｂの他方は第３の磁気コア６９に挿通又は巻き回される。第３の磁気コア６９には第３の導体線７０が巻回され、第３の導体線７０は第１の導体線６１に並列接続される。また、第２のＡＣコード６７ｂの他方は第４の磁気コア７１に挿通又は巻き回される。第４の磁気コア７１には第４の導体線７２が巻回され、第４の導体線７２は第２の導体線６５に並列接続される。第３の磁気コア６９及び第４の磁気コア７１もフェライトからなる。
【００３８】
ここで、第１の導体線６１と第３の導体線７０とは、互いの導体線に誘起する電圧が同位相となるように接続される。同様に、第２の導体線６５と第４の導体線７２とは、互いの導体線に誘起する電圧が同位相となるように接続される。
【００３９】
この第２の実施形態の構成によれば、第１のＡＣコード６３ｂの一方が第１の磁気コア６２に挿通又は巻き回され、他方が第３の磁気コア６９に挿通又は巻き回され、同様に、第２のＡＣコード６７ｂの一方が第２の磁気コア６６に挿通又は巻き回され、他方が第４の磁気コア７１に挿通又は巻き回されるので、各ＡＣコード６３ｂ、６７ｂ及びそれらが接続される電力線３が平衡状態となり、各ＡＣコード６３ｂ、３７ｂ及び電力線３からの不要輻射が押さえられる。
【００４０】
なお、図示はしないが、第１の導体線６１と第３の導体線７０との接続及び第２の導体線６５と第４の導体線７２との接続は、互いに誘起する電圧が同位相で加算されれば並列接続に限らず直列接続でもよい。直列接続した場合は、第１乃至第４の導体線６１、６５、７０、７２が相互に閉ループを構成する。
【００４１】
また、図１及び図２に示すインピーダンス素子６４、６８は、図３に示すようにインダクタンス素子Ｌと容量素子Ｃとの直列回路で構成し、その共振周波数を通信信号の周波数に合わせることによって、より効果的に信号の伝送が行える。通信信号の周波数帯域は２乃至３０ＭＨｚであるので、共振周波数をその間の周波数、例えば１０ＭＨｚに選べばより効果的である。
【００４２】
また、図５は第３の実施形態を示すが、ここでは、第２のＡＣコード６７ｂを第１のチョークインダクタ７３を介して第２のＡＣプラグ６７ａに接続し、第２のＡＣコード６７ｂに第１の増設用コンセント７４を接続している。第２のＡＣプラグを第２の屋内ＡＣコンセント２に接続し、第１の増設用コンセント７４に第２の端末装置５を接続すれば、第２の端末装置５に電力が供給される。そして、電力線通信信号は、第１のチョークインダクタ７３が第２のＡＣプラグ６７ａに接続されているので、第２の屋内コンセント２側へは出力されず、減衰せずに第２の端末装置５側に出力される。
【００４３】
また、第３の実施形態においては、第１のＡＣコード６３ｂを第２のチョークインダクタ７５を介して第２の増設用コンセント７６に接続している。こうすることによって、第２の増設用コンセント７６に他の電気機器を接続した場合においても、第２の増設用コンセント７６には第２のチョークインダクタ７５が接続されているので、電力線通信信号は第２の増設用コンセント７６側へは出力されないので、電力線通信信号は減衰することなく第１の増設用コンセント７４側に伝送される。
【図面の簡単な説明】
【００４４】
【図１】本発明の電力線通信信号重畳装置及びそれを用いた電力線通信ネットワークの第１の実施形態の構成を示す回路図である。
【図２】本発明の電力線通信信号重畳装置及びそれを用いた電力線通信ネットワークの第２の実施形態の構成を示す回路図である。
【図３】本発明の電力線通信信号重畳装置の他の構成の回路図である。
【図４】従来の電力線通信信号重畳装置及びそれを用いた電力線通信ネットワークの構成を示す回路図である。
【図５】本発明の電力線通信信号重畳装置の更に他の構成の回路図である。
【符号の説明】
【００４５】
１：第１の屋内ＡＣコンセント
２：第２の屋内ＡＣコンセント
３：電力線
４：第１の端末装置
４ａ：ＡＣプラグ
４ｂ：通信用モデム
５：第２の端末装置
５ａ：ＡＣプラグ
５ｂ：通信用モデム
６：電力線通信信号重畳装置
６１：第１の導体線
６２：第１の磁気コア
６３：第１のＡＣプラグコード
６３ａ：第１のＡＣプラグ
６３ｂ：第１のＡＣコード
６４：第１のインピーダンス素子
６５：第２の導体線
６６：第２の磁気コア
６７：第２のＡＣプラグコード
６７ａ：第２のＡＣプラグ
６７ｂ：第２のＡＣコード
６８：第２のインピーダンス素子
６９：第３の磁気コア
７０：第３の導体線
７１：第４の磁気コア
７２：第４の導体線
７３：第１のチョークインダクタ
７４：第１の増設用コンセント
７５：第２のチョークインダクタ
７６：第２の増設用コンセント
Ｌ：インダクタンス素子
Ｃ：容量素子
【図１】
2005260910.tif 000003
【図２】
2005260910.tif 000004
【図３】
2005260910.tif 000005
【図４】
2005260910.tif 000006
【図５】
2005260910.tif 000007